(57)【要約】【課題】  室内に設置された障害物の高さの異なる各種の現場や、天井の高さの異なる各種の現場に対応することができる足場支持台、足場、及びリニューアル工法を提供する。【解決手段】  建物の室内における天井部５５の工事に用いられる足場支持台２であって、  内部に足場の構成部材、天井部５５の工事に用いられる資材、道具等を収納可能な支持台本体３を備え、該支持台本体３を上下方向に伸縮可能に構成し、前記支持台本体３は、底板５と、該底板５の上部に固定される固定フレーム７と、該固定フレーム７によって上下方向に移動可能に支持される可動フレーム１１と、該可動フレーム１１を上下方向の所定の位置に固定するロック機構２３とを備え、前記支持台本体３の底板５の下面には、複数の車輪４０が転動可能、かつ旋回可能に設けられている【選択図】        図２
2014084579.tif 000002
【特許請求の範囲】
【請求項１】
建物の室内における天井部の工事に用いられる足場支持台であって、
内部に足場の構成部材、天井部の工事に用いられる資材、道具等を収納可能な支持台本体を備え、
該支持台本体を上下方向に伸縮可能に構成し、
前記支持台本体は、底板と、該底板の上部に固定される固定フレームと、該固定フレームによって上下方向に移動可能に支持される可動フレームと、該可動フレームを上下方向の所定の位置に固定するロック機構とを備え、
前記支持台本体の底板の下面には、複数の車輪が転動可能、かつ旋回可能に設けられていることを特徴とする足場支持台。
【請求項２】
前記固定フレームは、前記底板の上部に立設される複数の縦フレームと、隣接する縦フレーム間を連結する横フレームとを備え、前記可動フレームは、前記固定フレームの各縦フレームによって上下方向にスライド可能に支持される複数の縦フレームと、隣接する縦フレーム間を連結する横フレームとを備えていることを特徴とする請求項１に記載の足場支持台。
【請求項３】
前記固定フレームの複数の横フレーム及び前記可動フレームの複数の横フレームのうち、前記支持台本体の一側面に対応する横フレームを取り外し可能に構成したことを特徴とする請求項２に記載の足場支持台。
【請求項４】
前記ロック機構は、前記固定フレームの各縦フレームに上下方向に所定の間隔ごとに設けられるロック孔と、前記各ロック孔に対して挿脱可能に設けられるそれぞれロックピンと、該各ロックピンを前記各ロック孔の方向に付勢するばねと、前記各ロックピンを前記ばねの付勢力に抗して前記各ロック孔から脱した状態に固定する固定ピンとを備えていることを特徴とする請求項２又は３に記載の足場支持台。
【請求項５】
建物の室内における天井部の工事に用いられる足場であって、
請求項１〜４の何れか１項に記載の足場支持台と、隣接する足場支持台の上部間に架設される梁材と、該梁材によって支持されるアルミ製のハニカム構造の複数の足場材からなる作業床とを備えていることを特徴とする足場。
【請求項６】
建物の室内における天井部のリニューアル工法であって、
請求項１〜４に記載の複数の足場支持台を用い、該各足場支持台の内部に足場の構成部材、天井部の工事に用いられる資材、道具等を収納し、この状態で各足場支持台を室内の所定の位置に設置し、各足場支持台の内部から足場の構成部材、天井部の工事に用いられる資材、道具等を取り出し、足場の構成部材により作業床を組み立てて、該作業床を前記複数の足場支持台によって支持し、この際に、室内の障害物の高さに応じて、或いは天井部の高さに応じて、各足場支持台を伸縮させて作業床の高さを調整し、該作業床を利用して天井部におけるリニューアル工事を行うことを特徴とするリニューアル工法。
【発明の詳細な説明】
【技術分野】
【０００１】
本発明は、足場支持台、足場、及びリニューアル工法に関し、特に、建物の室内に設置された机、椅子、事務機器等の障害物を移動させることなく室内に設置して、障害物の上方の天井部に対して行う各種の工事に有効な足場支持台、足場、及びリニューアル工法に関する。
【背景技術】
【０００２】
建物の室内の天井部に対して、天井板の張り替え、配管、配線等の交換、増設等の各種の工事を行う場合、室内に設置されている机、椅子、事務機器等の障害物を避けて足場を設置し、この足場を利用することにより、障害物を移動させることなく障害物の上方の天井部に対して各種の工事を行っている。
【０００３】
例えば、障害物の両外側に障害物を避けて一対の脚立を設置し、両脚立の上部間に障害物を跨いだ状態で足場板を架け渡し、障害物の上部を養生シートで覆い、この状態で障害物の上方の天井部に対して各種の工事を行っている。
【０００４】
しかし、上記のような構成の足場にあっては、脚立及び足場板の重量が非常に重いため、作業者が現場に搬入して設置する作業、及び工事の完了後に現場から撤去して搬出する作業に非常に手間がかかる。
【０００５】
足場の他の例が特許文献１、２に記載されている。特許文献１に記載の足場は、移動式の足場であって、鉛直に設けられる４本の支柱と、４本の支柱のうちの隣接する２本の支柱の上端間に水平に取り付けられる上部横材と、上部横材の上部に取り付けられるパイプ材と、パイプ材の上部に掴み金具を介して取り付けられる長方形板状の複数の足場板と、上部横材と各支柱との間に斜めに取り付けられる補強筋交いとを備えている。
【０００６】
また、特許文献２に記載の足場は、移動式の足場であって、折り畳み可能な２枚の作業床と、２枚の作業床を支持する４本の脚部と、各脚部の下端に設けられるキャスターと、各脚部と各作業床との間に斜めに取り付けられる斜杆と、各作業床の２本の脚部間に取り付けられる横杆と、２枚の作業床の２本の脚部間に取り付けられる連結杆とを備えている。
【０００７】
特許文献１、２に記載の足場は、移動可能に構成されているので、作業者が工事現場へ搬入して設置する作業、工事の完了後に工事現場から撤去して搬出する作業に手間がかるようなことはない。
【０００８】
しかし、特許文献１に記載の足場は、２本の支柱間に補強筋交いが斜めに取り付けられ、また、特許文献２に記載の足場は、作業床と脚部との間に斜めに斜杆が取り付けられ、２本の脚部間に横杆及び連結杆が水平に取り付けられているため、それらが邪魔になり、室内に設置されている障害物の大きさ、高さによっては設置できないことがある。その場合、障害物を移動させて設置し、工事の完了後に足場を撤去し、障害物を元の位置に戻さなければならず、それらの作業に非常に手間がかかる。
【０００９】
上記のような問題に対処するため、本願発明者等は、特許文献３に「足場支持台、足場、及びリニューアル工法」に関する技術を提案している。この技術は、上部が開口する箱状をなすとともに、周囲を覆う複数の側板のうちの少なくとも一部の側板が鉛直状態から水平状態に展開可能な支持台本体と、側板を水平に展開した状態に支持する支持部材とを備えた足場支持台を使用するものである。
【００１０】
このような技術を採用することにより、支持台本体の内部に、天井部の工事に用いる資材や道具を収納できるので、室内の所定の位置へ搬入して設置する作業、室内から撤去して搬出する作業を容易に行うことができる。また、特許文献１、２に記載の技術のように、横杆や連結杆が取り付けられていないため、それらが邪魔になるようなことはなく、室内に設置されている障害物を移動させることなく室内に設置することができる。
【００１１】
しかし、特許文献３に記載の技術は、足場支持台の高さの調整ができないため、室内に設置された障害物の高さによっては、障害物を移動させて足場を設置しなければならない。また、天井部の高さが高すぎる場合には、作業床上で天井部に対して各種の工事を行うことが困難になる。
【先行技術文献】
【特許文献】
【００１２】
【特許文献１】実開平７−１９４８８号公報
【特許文献２】実公平７−３５９９８号公報
【特許文献３】特開２０１１−８０３３４号公報
【発明の概要】
【発明が解決しようとする課題】
【００１３】
本発明は、上記のような従来の問題に鑑みなされたものであって、室内の工事現場に容易に搬入して設置し、工事の完了後に室内から容易に撤去して搬出することができるとともに、室内に設置された障害物の高さの異なる各種の現場や、天井の高さの異なる各種の現場に対応することができる、足場支持台、足場、及びリニューアル工法を提供することを目的とする。
【課題を解決するための手段】
【００１４】
上記のような課題を解決するために、本発明は、以下のような手段を採用している。
すなわち、本発明は、建物の室内における天井部の工事に用いられる足場支持台であって、内部に足場の構成部材、天井部の工事に用いられる資材、道具等を収納可能な支持台本体を備え、該支持台本体を上下方向に伸縮可能に構成し、前記支持台本体は、底板と、該底板の上部に固定される固定フレームと、該固定フレームによって上下方向に移動可能に支持される可動フレームと、該可動フレームを上下方向の所定の位置に固定するロック機構とを備え、前記支持台本体の底板の下面には、複数の車輪が転動可能、かつ旋回可能に設けられていることを特徴とする。
【００１５】
本発明の足場支持台によれば、支持台本体を上下方向に伸縮させることにより、足場支持台の高さを調整することができる。従って、室内に設置されている各種の高さの障害物に対して、障害物を移動させることなく障害物の上方に障害物を覆うように足場を設置することができる。また、高さの異なる各種の天井部に対して、足場支持台の高さを調整することにより、足場の高さを天井部に対してリニューアル工事を行うことが可能な高さに設定することができる。
また、支持台本体の可動フレームを上下方向に移動させ、可動フレームを上下方向の所定の位置にロック機構により固定することにより、足場支持台の高さを調整することができるとともに、足場支持台を調整した高さに固定することができる。
さらに、車輪を介して支持台本体を室内の床上を移動させることができるので、支持台本体の室内の所定の位置への位置決め、室内からの撤去を容易に、短時間で、効率よく行うことができるとともに、支持台本体を利用して足場の構成部材、天井部の工事に用いる資材、道具等の搬入、搬出を容易に、短時間で、効率よく行うことができる。
【００１６】
また、本発明において、前記固定フレームは、前記底板の上部に立設される複数の縦フレームと、隣接する縦フレーム間を連結する横フレームとを備え、前記可動フレームは、前記固定フレームの各縦フレームによって上下方向にスライド可能に支持される複数の縦フレームと、隣接する縦フレーム間を連結する横フレームとを備えていることとしてもよい。
【００１７】
本発明の足場支持台によれば、固定フレームの縦フレームに対して可動フレームの縦フレームを上下方向にスライドさせることにより、可動フレームを上下方向へ移動させることができ、足場支持台の高さを調整することができる。
【００１８】
また、本発明において、前記固定フレームの複数の横フレーム及び前記可動フレームの複数の横フレームのうち、前記支持台本体の一側面に対応する横フレームを取り外し可能に構成したこととしてもよい。
【００１９】
本発明の足場支持台によれば、支持台本体の一側面に対応する固定フレームの横フレーム及び可動フレームの横フレームを取り外すことにより、支持台本体の内部への足場の構成部材、天井の工事に用いる資材、道具等を収納する作業、それらを取り出す作業を容易に行うことができる。
【００２０】
また、本発明において、前記ロック機構は、前記固定フレームの各縦フレームに上下方向に所定の間隔ごとに設けられるロック孔と、前記各ロック孔に対して挿脱可能に設けられるそれぞれロックピンと、該各ロックピンを前記各ロック孔の方向に付勢するばねと、前記各ロックピンを前記ばねの付勢力に抗して前記各ロック孔から脱した状態に固定する固定ピンとを備えていることとしてもよい。
【００２１】
本発明の足場支持台によれば、ロック機構のロックピンをロック孔内に挿入させることにより、ロックピンが固定フレームの各縦フレームを幅方向に貫通した状態に配置され、このロックピンによって可動フレームの縦フレームが支持されることになる。また、ロックピンをばねの付勢力に抗してロック孔から脱し、固定ピンによってロック孔から脱した状態に固定することにより、可動フレームの縦フレームを固定フレームの縦フレームに対して上下方向にスライドさせることができる。
【００２２】
また、本発明の足場は、建物の室内における天井部の工事に用いられる足場であって、請求項１〜４の何れか１項に記載の足場支持台と、隣接する足場支持台の上部間に架設される梁材と、該梁材によって支持されるアルミ製のハニカム構造の複数の足場材からなる作業床とを備えていることを特徴とする。
【００２３】
また、本発明のリニューアル工法は、建物の室内における天井部のリニューアル工法であって、請求項１〜４に記載の複数の足場支持台を用い、該各足場支持台の内部に足場の構成部材、天井部の工事に用いられる資材、道具等を収納し、この状態で各足場支持台を室内の所定の位置に設置し、各足場支持台の内部から足場の構成部材、天井部の工事に用いられる資材、道具等を取り出し、足場の構成部材により作業床を組み立てて、該作業床を前記複数の足場支持台によって支持し、この際に、室内の障害物の高さに応じて、或いは天井部の高さに応じて、各足場支持台を伸縮させて作業床の高さを調整し、該作業床を利用して天井部におけるリニューアル工事を行うことを特徴とする。
【発明の効果】
【００２４】
以上、説明したように、本発明の足場支持台、足場、及びリニューアル工法によれば、室内の工事現場に容易に搬入して設置し、工事の完了後に室内から容易に撤去して搬出することができる。また、室内に設置された障害物の高さの異なる各種の現場や、天井の高さの異なる各種の現場にも柔軟に対応することができる。
【図面の簡単な説明】
【００２５】
【図１】本発明による足場支持台及び足場の一実施の形態を示した平面図である。
【図２】図１の正面図である。
【図３】図１の右側面図である。
【図４】足場支持台の正面図である。
【図５】図４の右側面図である。
【図６】図４の平面図である。
【図７】足場支持台の固定フレームと可動フレームとの関係を示した説明図である。
【図８】図７の部分拡大図である。
【図９】ロック機構の断面図である。
【図１０】梁材の平面図である。
【図１１】図１０のＡ−Ａ線、及びＢ−Ｂ線断面図である。
【図１２】足場板の斜視図である。
【図１３】足場板の裏面図である。
【図１４】梁材の試験体１〜３の曲げ試験の結果である。
【図１５】梁材の試験体１〜３の荷重と変位との関係を示した説明図である。
【図１６】足場板の試験体１〜４の曲げ試験の結果である。
【図１７】足場板の試験体１〜４の荷重と変位との関係を示した説明図である。
【発明を実施するための形態】
【００２６】
以下、図面を参照しながら本発明の実施の形態について説明する。
図１〜図６には、本発明による足場支持台及び足場の一実施の形態が示されている。この足場支持台２及び足場１は、建物の室内の天井部５５に対して行う各種の工事（例えば、天井板の張替え工事、配管、配線の交換、増設工事等のリニューアル工事）に用いられるものであって、室内の床５６上に設置された机、椅子、各種の事務機器等の障害物５７を移動させることなく、障害物５７の上方の天井部５５に対して各種の工事を行うのに有効なものである。
【００２７】
本実施の形態の足場支持台２は、図４〜図６に示すように、内側に空間４を有する支持台本体３と、支持台本体３を移動可能に支持する複数の車輪４０とを備え、支持台本体３の内側の空間４内に、足場１を構成する足場板４８、梁材４１、天井部５５の工事に用いる各種の資材、道具等が収納されるようになっている。
【００２８】
支持台本体３は、四角形板状の底板５と、底板５の上部に固定される固定フレーム７と、固定フレーム７によって上下方向に伸縮可能に支持される可動フレーム１１と、可動フレーム１１を上下方向の所定の位置に固定するロック機構２３とから構成され、固定フレーム７及び可動フレーム１１の内側に上部及び側部が開口する空間４が設けられている。
【００２９】
底板５の下面の四隅には、車輪４０がそれぞれ回転可能、かつ旋回可能に取り付けられ、これらの車輪４０によって支持台本体３が室内の床５６上を移動可能に支持され、これらの車輪４０を介して足場支持台２を室内の床５６上を移動させることにより、足場支持台２を室内の所定の位置に設置することができる。
なお、車輪４０は、底板５の下面の四隅だけでなく、隣接する車輪４０、４０間、底板５の中央部等にも設けるように構成してもよい。また、車輪４０は、必ずしも設ける必要なく、必定に応じて設ければよい。
【００３０】
固定フレーム７は、底板５の上面の四隅にそれぞれ垂直に立設される角型鋼管等から形成される角パイプ状の４本の縦フレーム８と、隣接する縦フレーム８、８の下端部間をそれぞれ水平方向に連結する平鋼等から形成される平板状の４本の下横フレーム９ａ〜９ｄと、隣接する縦フレーム８、８の中央部間をそれぞれ水平方向に連結する平鋼等から形成される平板状の４本の上横フレーム１０ａ〜１０ｄとから構成されている。
【００３１】
可動フレーム１１は、図７に示すように、固定フレーム７の各縦フレーム８の内面側にそれぞれスライド可能に挿着される丸形鋼管等から形成される丸パイプ状の４本の縦フレーム１２と、隣接する縦フレーム１２、１２の上端部間にそれぞれ水平に架設される角型鋼管等から形成される角パイプ状の４本の横フレーム１３ａ〜１３ｄとから構成されている。
【００３２】
可動フレーム１１の各縦フレーム１２を上下方向にスライドさせて可動フレーム１１を上下方向に移動させることにより、可動フレーム１１の上下方向の位置を調整でき、足場支持台２の高さを調整することができる。
【００３３】
固定フレーム７の４本の上横フレーム１０ａ〜１０ｄのうち、支持台本体３の一側面に対応する部分に設けられる上横フレーム１０ａは、図３及び図４に示すように、隣接する縦フレーム８、８間に連結手段１４を介して取り外し可能に取り付けられている。
【００３４】
連結手段１４は、上横フレーム１０ａの一端を隣接する一方の縦フレーム８に回動可能に連結するヒンジ１５と、上横フレーム１０ａの他端を隣接する他方の縦フレーム８に取り外し可能に連結するボルト・ナット１６とから構成されている。
【００３５】
可動フレーム１１の４本の横フレーム１３ａ〜１３ｄのうち、支持台本体３の一側面に対応する部分に設けられる横フレーム１３ａは、図７に示すように、隣接する縦フレーム１２、１２間に連結手段１４を介して取り外し可能に取り付けられている。
【００３６】
連結手段１４は、固定フレーム７の連結手段１４と同様に、横フレーム１３ａの一端を隣接する一方の縦フレーム１２に回動可能に支持するヒンジ１５と、横フレーム１３ａの他端を隣接する他方の縦フレーム１２に取り外し可能に連結するボルト・ナット１６とから構成されている。
【００３７】
支持台本体３の一側面に対応する部分に設けられる、固定フレーム７の上横フレーム１０ａ、及び可動フレーム１１の横フレーム１３ａの他端側のボルト・ナット１６をそれぞれ取り外して、上横フレーム１０ａ、及び横フレーム１３ａを一端側のヒンジ１５を中心として回動させることにより、支持台本体３の一側面を開口させることができ、この開口を通じて支持台本体３の側方から支持台本体３の内側の空間４内に足場板４８、梁材４１、資材等を収納することができる。
【００３８】
底板５の上面中央部には、図４〜図６に示すように、所定の高さの角パイプ状の梁材支持部６が所定の間隔ごとに２列に設けられ、支持台本体３の内側の空間４内に収納した各梁材４１の端部を各梁材支持部６に嵌合させることにより、各梁材４１を空間４内に縦向きに支持することができる。
【００３９】
なお、各梁材支持部６は、各梁材支持部６の内面側に梁材４１の端部を嵌合させるように、各梁材支持部６の大きさを設定してもよいし、各梁材支持部６を梁材４１の内面側に嵌合させるように、各梁材支持部６の大きさを設定してもよい。
【００４０】
図２、図３、及び図７に示すように、可動フレーム１１の４本の横フレーム１３ａ〜１３ｄのうち、対向する２本の横フレーム１３ａ、１３ｃは、他の対向する２本の横フレーム１３ｂ、１３ｄよりも高い位置に架設され、縦方向に設置した隣接する足場支持台２、２の横フレーム１３ｂ、１３ｄ〜１３ｂ、１３ｄ間に足場板４８を支持する縦方向の梁材４１が架設され、横方向に設置した隣接する足場支持台２、２の横フレーム１３ａ、１３ｃ〜１３ａ、１３ｃ間に足場板４８を支持する横方向の梁材４１が架設される。
なお、縦方向とは、図１の上下方向を意味し、横方向とは、図１の左右方向を意味する。
【００４１】
図２、図３、図７に示すように、可動フレーム１１の各横フレーム１３ａ〜１３ｄの上部中央部には、縦方向に隣接する足場支持台２、２の横フレーム１３ｂ、１３ｄ〜１３ｂ、１３ｄ間に架設される梁材４１の端部、及び横方向に隣接する足場支持台２、２の横フレーム１３ａ、１３ｃ〜１３ａ、１３ｃ間に架設される梁材４１の端部を、各横フレーム１３ａ〜１３ｄの上部に固定するクランプ部材１７がそれぞれ設けられている。
【００４２】
クランプ部材１７は、各横フレーム１３ａ〜１３ｄの上部中央部に設けられる固定板１８と、固定板１８の両側に間隔をおいて設けられる支持板１９、１９と、各支持板１９に固定板１８の方向に進退可能に螺着される蝶ボルト２０と、蝶ボルト２０の先端に取り付けられる皿状の押板２１と、蝶ボルト２０を支持板１９に固定するロックナット２２とから構成されている。
【００４３】
各横フレーム１３ａ〜１３ｄの上部に梁材４１の端部を載置させ、クランプ部材１７の蝶ボルト１０を固定板１８の方向に前進させて、固定板１８と押板１９との間で梁材４１の端部を締め付け、蝶ボルト２０及びロックナット２２で支持板１９に固定することにより、梁材４１の端部を各横フレーム１３ａ〜１３ｄの上部に固定することができる。
【００４４】
ロック機構２は、図７〜図９に示すように、固定フレーム７の各縦フレーム８の上横フレーム１０ａ〜１０ｄよりも上方の部分に、所定の間隔ごとに複数箇所（本実施の形態では３箇所）に各縦フレーム８を幅方向に貫通するように設けられるロック孔（第１ロック孔２４、第２ロック孔２５、及び第３ロック孔２６）と、各ロック孔２４〜２６内に挿脱可能に設けられるロックピン（第１ロックピン２７、第２ロックピン２８、及び第３ロックピン２９）と、各ロックピン２７〜２９を各ロック孔２４〜２６内に挿脱可能に支持するロックピンガイド３１と、各ロックピン２７〜２９を各ロック孔２４〜２６内に挿入する方向に付勢する圧縮ばね３７と、圧縮ばね３７の付勢力に抗して各ロックピン２７〜２９を各ロック孔２４〜２６内から脱した状態に固定する固定ピン３８とから構成されている。
【００４５】
ロックピンガイド３１は、長方形板状の下板３２と、下板３２の両端に垂直に立設される板状の側板３４、３５とからなる断面コ形状をなすものであって、一方の側板３４が固定フレーム７の各縦フレーム８の表面に溶接等によって一体に連結されている。
【００４６】
ロックピンガイド３１の各側板３４、３５の中央部には、各ロックピン２７〜２９を挿通させるためのピン挿通孔３４ａ、３５ａがそれぞれ貫通した状態で設けられ、一方の側板３４のピン挿通孔３４ａが固定フレーム７の各縦フレーム８の各ロック孔２４〜２６と合致するように、一方の側板３４が固定フレーム７の各縦フレーム８に連結されている。
【００４７】
ロックピンガイド３１の他方の側板３５の内面側には、ピン挿通孔３５ａよりも大径の筒状のストッパー部３６が一体に連結され、このストッパー部３６に各ロックピン２７〜２９の外周面に装着したワッシャ３９を当接させることにより、各ロックピン２７〜２９の図中左方向へのそれ以上の移動が制限される。なお、ワッシャ３９は、各ロックピン２７〜２９の外周面に固定された固定ピン３８により図中右方向への移動が制限されている。
【００４８】
各ロックピン２７〜２９のワッシャ３９の図中左側の部分には圧縮ばね３７が装着され、この圧縮ばね３７の付勢力により、ワッシャ３９を介して各ロックピン２７〜２９が図中右方向に押圧されるようになっている。各ロックピン２７〜２９は、ワッシャ３９がロックピンガイド３１の一方の側板３４の内面に当接することにより、図中右方向へのそれ以上の移動が制限される。
【００４９】
ロックピンガイド３１の下板３２の一側面のストッパー部３６の端面よりも右側の部分には、所定の幅、深さの固定溝が３３設けられ、この固定溝３３内に各ロックピン２７〜２９のワッシャ３９を固定している固定ピン３８を係合させることにより、各ロックピン２７〜２９を各ロック孔２４〜２６から脱した状態に固定することができる。具体的には、各ロックピン２７〜２９の後端部に取り付けたレバー３０を手で掴んで、各ロックピン２７〜２９を圧縮ばね３７の付勢力に抗して、図中左方向にワッシャ３９がストッパー部３６の端面に当接するまで引張り、この状態で各ロックピン２７〜２９を時計周りに回して固定ピン３８を固定溝３３内に係合させる。
【００５０】
各第１ロックピン２７を圧縮ばね３７の付勢力によって各第１ロック孔２４内に挿入させ、各第２ロックピン２８及び各第３ロックピン２９を圧縮ばね３７の付勢力に抗して各第２ロック孔２５及び各第３ロック孔２６から脱し、その状態に固定ピン３８によって固定することにより、各縦フレーム８を横方向に貫通した状態に各第１ロックピン２７を配置することができ、各第１ロックピン２７によって可動フレーム１１の各縦フレーム１２の下端を支持することができ、足場支持台２の高さをｈ１に設定することができる。
【００５１】
また、各第２ロックピン２８を圧縮ばね３７の付勢力によって各第２ロック２５孔内に挿入させ、各第３ロックピン２９を圧縮ばね３７の付勢力に抗して各第３ロック孔２６から脱し、その状態に固定ピン３８によって固定することにより、各縦フレーム８を横方向に貫通した状態に各第２ロックピン２８を配置することができ、各第２ロックピン２８によって可動フレーム１１の各縦フレーム１２の下端を支持することができ、足場支持台２の高さをｈ２に設定することができる。
【００５２】
さらに、各第３ロックピン２９を圧縮ばね３７の付勢力によって各第３ロック孔２６内に挿入させることにより、各縦フレーム８を貫通した状態に各第３ロックピン２９を配置することができ、各第３ロックピン２９によって可動フレーム１１の各縦フレーム１２の下端を支持することができ、足場支持台２の高さをｈ３に設定することができる。
【００５３】
梁材４１は、図１０及び図１１に示すように、炭素繊維強化プラスチック（ＣＦＲＰ）等の繊維強化プラスチック（ＦＲＰ）から形成される角パイプ状の梁本体４２、４３と、梁本体４２、４３を連結する鋼製のジョイント材４４とから構成されている。
【００５４】
本実施の形態では、１５００ｍｍの長さの第１梁本体４２と、７５０ｍｍの長さの第２梁本体４３を使用し、第１梁本体４２の両端に第２梁本体４３をジョイント材４４を介してそれぞれ連結することにより、３０００ｍｍの長さの梁材４１を構成している。
【００５５】
第１梁本体４２の両端部には、第１梁本体４２を幅方向に貫通するピン挿通孔４２ａが設けられ、このピン挿通孔４２ａとジョイント材４４のピン挿通孔４４ａとの間に連結ピン４６を挿通させて、ナット４７で締め付けることにより、第１梁本体４２の両端部にジョイント材４４を連結することができる。
【００５６】
第２梁本体４３の一端部には、第２梁本体４３を幅方向に貫通するピン挿通孔４３ａが設けられ、このピン挿通孔４３ａとジョイント材４４のピン挿通孔４４ａとの間に連結ピン４６を挿通させて、ナット４７で締め付けることにより、第１梁本体４２の両端部にジョイント材４４を介してそれぞれ第２梁本体４３を連結することができる。
【００５７】
ジョイント材４４は、第１梁本体４２の端部の内面側、及び第２梁本体４３の端部の内面側に嵌合可能な断面Ｃ形状をなすものであって、本実施の形態においては、ジョイント材４４の材料に長さ６００ｍｍのＣ形鋼を使用している。
【００５８】
ジョイント材４４の長手方向の中央部の外面には、所定の高さのストッパー部４５が突出した状態で設けられ、このストッパー部４５の一方の側面に第１梁本体４２の端面を当接させ、他方の側面に第２梁本体４３の端面を当接させることにより、ジョイント材４４を第１梁本体４２の端部の内面側及び第２梁本体４３の端部の内面側に略同一長さ嵌合させることができる。
【００５９】
ジョイント材４４の長手方向の両端部には、ジョイント材４４の両フランジ間を貫通するピン挿通孔４４ａが設けられ、ジョイント材４４の両端部を第１梁本体４２の端部の内面側、及び第２梁本体４３の端部の内面側に嵌合させた状態で、第１梁本体４２のピン挿通孔４２ａとジョイント材４４のピン挿通孔４４ａとの間に連結ピン４６を挿通させ、第２梁本体４３のピン挿通孔４３ａとジョイント材４４のピン挿通孔４４ａとの間に連結ピン４６を挿通させ、各連結ピン４６にナット４７を螺合させて締め付けることにより、第１梁本体４２と第２梁本体４３とをジョイント材４４を介して一連に連結することができる。
【００６０】
梁材４１は、第１梁本体４２の両端部にジョイント材４４を介して第２梁本体４３をそれぞれ連結することにより３０００ｍｍの長さに形成され、この状態で、室内の机等の障害物５７を避けるように設置した縦方向に隣接する足場支持台２、２の横フレーム１３ｂ、１３ｄ〜１３ｂ、１３ｄ間、横方向に隣接する足場支持台２、２の横フレーム間１３ａ、１３ｃ〜１３ａ、１３ｃ間にそれぞれ架設される。
【００６１】
足場板４８は、図１２及び図１３に示すように、所定の強度、及び重量のアルミ製のハニカム構造のハニカム板材であって、本実施の形態では、長さ；１５００ｍｍ、幅；５００ｍｍ、厚み；２５ｍｍのハニカム板材を使用している。ハニカム板材は、表面材４９と、裏面材５０と、表面材４９と裏面材５０との間に介装されるハニカムコア５１とから構成されている。表面材４９の表面には、滑り止め用の複数の円形状の突起４９ａが設けられ、裏面材５０の表面の両縁部には、滑り止め用のテープ３０ａが貼り付けられている。足場板４８としては、例えば、株式会社フジカケプランニング社製のニカムパネル、Ａｒｇｏｓｙ  Ｉｎｔｅｒｎａｔｉｏｎａｌ  Ｉｎｃ社製のＡｌｕｍｉｎｕｍ  Ｈｏｎｅｙｃｏｍｂ等を使用することができる。
【００６２】
次に、上記のように構成した足場支持台２、梁材４１、及び足場板４８を用いて、室内の所定の位置に足場１を設置する手順について説明する。
（１）図４〜図６に示すように、各足場支持台２の支持台本体３の内側の空間４内に、足場板４８、梁材４１、天井部の工事に用いる各種の資材、道具等を収納する。なお、梁材４１は、第１梁本体４２と第２梁本体４３とに分割した状態で空間４内に収納する。
【００６３】
この場合、各足場支持台２の支持台本体３のロック機構２３の各ロックピン（第１ロックピン２７、第２ロックピン２８、及び第３ロックピン２９）を圧縮ばね３７の付勢力に抗して引張り、各ロックピン２７〜２９を各ロック孔（第１ロック孔２４、第２ロック孔２５、及び第３ロック孔２６）から脱した状態とし、固定ピン３８をロックピンガイド３１の固定溝３３に係合させることにより、各ロックピン２７〜２９を各ロック孔２４〜２６から脱した状態に固定し、各足場支持台２の支持台本体３の可動アーム１１を最下位にセットしておく。
【００６４】
（２）図１〜図３に示すように、各足場支持台２を車輪４０を介して室内の床５６上を移動させることにより、各足場支持台２を室内に設置されている机等の障害物５７を避けて、障害物５７の外側の四隅に障害物５７を囲むように設置し、各足場支持台２の位置を微調整することにより、隣接する足場支持台２、２の間隔を所定の寸法に設定する。
【００６５】
（３）各足場支持台２の支持台本体３の一側面に対応する固定フレーム７の上横フレーム１０ａ、及び可動フレーム１１の横フレーム１３ａの他端側のボルト・ナット１６を取り外し、それらのフレーム１０ａ、１３ａを一端側のヒンジ１５を介して回動させることにより支持台本体３の一側面を開口させ、開口部を通じて支持台本体３の内側の空間４内から足場板４８、梁材４１の第１梁本体４２、第２梁本体４３、天井部の工事に用いる各種の資材、道具等を取り出す。そして、その後に、各フレーム１０ａ、１３ａを回動させて元の位置に戻し、ボルト・ナット１６を締め付けることにより各フレームを１０ａ、１３ａ固定し、支持台本体３の一側面を閉じる。
【００６６】
（４）各足場支持台２の支持台本体３のロック機構２３の第１ロックピン２７、第２ロックピン２８、又は第３ロックピン２９の固定ピン３８を固定溝３３から外すことにより、第１ロックピン２７、第２ロックピン２８、又は第３ロックピン２９を圧縮ばね３７の付勢力によって第１第１ロック孔２４、第２ロック孔２５、又は第３ロック孔２６内に挿入させ、第１ロックピン２７、第２ロックピン２８、又は第３ロックピン２９を固定フレーム７の各縦フレーム８を貫通させた状態に配置し、可動フレーム１１を第１ロックピン２７、第２ロックピン２８、又は第３ロックピン２９の位置に対応した上下方向の所定の位置にセットすることにより、各足場支持台２の高さをｈ１、ｈ２、又はｈ３に設定する。
【００６７】
（５）各足場支持台２の支持台本体３から取り出した第１梁本体４２の両端部にジョイント材４４をそれぞれ嵌合させ、第１梁本体４２の各端面を各ジョイント材４４のストッパー部４５の一方の側面に当接させ、第１梁本体４２の各端部のピン挿通孔４２ａとジョイント材４４のピン挿通孔４４ａとの間に連結ピン４６を挿通させ、ナット４７を螺合させて締め付けることにより、第１梁本体４２の両端部にジョイント材４４をそれぞれ連結する。
【００６８】
（６）各ジョイント材４４を第２梁本体４３の端部に嵌合させ、各第２梁本体４３の端面を各ジョイント材４４のストッパー部４５の他方の側面に当接させ、各第２梁本体４３のピン挿通孔４３ａとジョイント材４４のピン挿通孔４４ａとの間に連結ピン４６を挿通させ、ナット４７を螺合させて締め付けることにより、第１梁本体４２の各端部にジョイント材４４を介して第２梁本体４３を連結し、所定の長さの梁材４１を構成する。
【００６９】
（７）縦方向に隣接する足場支持台２、２の横フレーム１３ｂ、１３ｄ〜１３ｂ、１３ｄ間に１本の梁材４１を架設し、横方向に隣接する足場支持台２、２の横フレーム１３ａ、１３ｃ〜１３ａ、１３ｃ間に１本の梁材４１を架設し、各梁材４１の端部を各クランプ部材１７の蝶ボルト２０を前進させて、固定板１８と押板２１との間で各梁材４１の端部を幅方向から締め付け、蝶ボルト２０を支持板１９にロックナット２２で固定することにより、各梁材４１の端部を横フレーム１３ａ〜１３ｄの上部に固定する。
【００７０】
（８）縦方向の２本の梁材４１、４１の中央部間に横方向から２本の梁材４１、４１を架設する。
【００７１】
（９）上側の横方向の梁材４１と中央の上側の梁材４１との間に複数の足場板４８を、左右に隣接する足場板４８，４８間に隙間が形成されないように架け渡し、下側の横方向の梁材４１と中央の下側の梁材４１との間に複数の足場板４８を、左右に隣接する足場板４８、４８間に隙間が形成されないように、かつ、上側の複数の足場板４８との間に隙間が形成されないように架け渡し、これらの複数の足場板４８によって障害物５７の上方を覆う四角形板状の作業床５２を構成する。
【００７２】
以上の（１）〜（９）の手順により、足場１の作業床５２が設置され、この作業床５２を利用することにより、障害物５７の上方の天井部５５に対して各種の工事を行うことができる。
天井部５５に対する各種の工事が完了すれば、その後に、作業床５２を構成する各足場板４８を取り外し、縦方向の梁材４１、４１間に架設されている梁材４１、隣接する足場支持台２、２の横フレーム１３ｂ、１３ｄ〜１３ｂ、１３ｄ間に架設されている縦方向の各梁材４１、及び隣接する足場支持台２、２の横フレーム１３ａ、１３ｃ〜１３ａ、１３ｃ間に架設されている横方向の各梁材４１をそれぞれ取り外す。
【００７３】
そして、梁材４１をナット４７及び連結ピン４６を取り外すことにより、第１梁本体４２と第２梁本体４３とジョイント材４４とに分割し、各足場支持台２の支持台本体３のロック機構２３の各ロックピン（第１ロックピン２７、第２ロックピン２８、及び第３ロックピン２９）を各ロック孔（第１ロック孔２４、第２ロック孔２５、及び第３ロック孔２６）から脱するとともに、脱した状態に固定ピン３８により固定し、各足場支持台２の支持台本体３の可動アーム１１を最下位にセットする。
【００７４】
次に、各足場支持台２の支持台本体３の一側面の固定フレーム７の下横フレーム９ａ、上横フレーム１０ａ、可動フレーム１１の横フレーム１３ａを、それぞれ他端側のボルト・ナット１６を取り外し、各フレーム９ａ、１０ａ、１３ａをヒンジ１５を中心として回動させることにより、支持台本体３の一側面を開口させ、この開口部を通じて支持台本体３の内側の空間４内に足場板４８、梁材４１の第１梁本体４２、第２梁本体４３、天井部５５の工事に使用した資材、道具等を収納し、収納完了後に、各フレーム９ａ、１０ａ、１３ａを元の位置に戻してボルト・ナット１６で固定し、支持台本体３の一側面を閉じる。そして、各足場支持台２を床５６上を移動させて工事現場から撤去し、室外に搬出させる。
【００７５】
上記のように構成した本実施の形態の足場支持台２及び足場１にあっては、足場支持台２を室内の床５６上を移動可能に構成するとともに、足場支持台２の内側の空間４内に、足場１の作業床５２を構成する足場板４８、足場板４８を支持する梁材４１の第１梁本体４２、第２梁本体４３、ジョイント材４４、工事用の資材、道具等を収納するように構成したので、足場支持台２を利用して、足場１を構成する各部材、工事用の資材、道具等を室内の工事現場へ搬入し、室内の工事現場から撤去することができる。
【００７６】
従って、室内の工事現場への足場１の設置作業、室内の工事現場からの足場１の撤去作業を容易に、短時間で、効率よく行うことができ、天井部５５のリニューアル工事等の各種の工事を効率よく行うことができる。
【００７７】
また、作業床５２を構成する足場板４８をアルミ製のハニカム構造のハニカム板材によって構成したことにより、足場板４の剛性、強度、及び品質を均質化することができるとともに、足場板４８を軽量化することもできる。
【００７８】
従って、足場板４８の足場支持台２の空間４内への収納作業、空間４内からの取り出し作業、足場板４８の梁材４１間への架設作業、足場板４８の梁材４１間からの撤去作業を容易に行うことができる。また、足場板４８を作業床５２として使用する場合に、作業者の重量や、工事に使用する資材や道具の重量を十分に支えることができ、作業者の安全を確保することができる。
【００７９】
また、足場板４８を支持する梁材４１を炭素繊維強化プラスチック（ＣＦＲＰ）等の繊維強化プラスチック（ＦＲＰ）から形成される第１梁本体４２及び第２梁本体４３と、第１梁本体４２と第２梁本体４３とを連結する鋼製のジョイント材４４とによって構成したので、梁材４１の全体を鋼製とし場合に比べて、梁材４１を大幅に軽量化することができるとともに、鋼製の梁材４１と同程度の強度が得られる。
【００８０】
従って、梁材４１を足場支持台２の空間４内へ収納する作業、空間４内から取り出す作業、梁材４１を隣接する足場支持台２、２の横フレーム１３ｂ、１３ｄ〜１３ｂ、１３ｄ間、横フレーム１３ａ、１３ｃ〜１３ａ、１３ｃ間に架設する作業、隣接する足場支持台２、２の横フレーム１３ｂ、１３ｄ〜１３ｂ、１３ｄ間、横フレーム１３ａ、１３ｃ〜１３ａ、１３ｃ間からの撤去作業等を容易に行うことができる。
【００８１】
また、梁材４１を第１梁本体４２と第２梁本体４３とに分割可能に構成したことにより、梁材４１を長いままの状態で室内の工事現場へ搬入し、室内の工事現場から搬出する必要はなく、梁材４１の室内の工事現場への搬入作業、室内の工事現場からの搬出作業を容易に行うことができる。また、梁材４１を第１梁本体４２と第２梁本体４３とに分割することができるので、高さが制限されるエレベータを使用して室内の工事現場へ搬入し、室内の工事現場から撤去することが可能となり、梁材４１の搬入、搬出作業を更に容易にすることができる。
【００８２】
また、足場支持台２の高さの調整を可能にしたことにより、室内に設置された高さの異なる各種の障害物５７に対して、足場支持台２の高さを調整することにより、障害物５７を移動させることなく、障害物５７の上方に障害物５７と干渉することなく、障害物５７を覆うように作業床５２を設置することができ、高さの異なる各種の障害物５７に対応することが可能となる。
【００８３】
また、天井部５５の高さの異なる各種の工事現場に対して、足場支持台２の高さを調整することにより、高さの異なる各種の天井部５５に対応可能に作業床５２の高さを調整することができ、天井部５５の高さの異なる各種の工事現場に対応することが可能となる。
【００８４】
なお、前記の説明においては、障害物５７の外側の四隅に４つの足場支持台２を設置し、縦方向に隣接する足場支持台２、２の横フレーム１３ｂ、１３ｄ〜１３ｂ、１３ｄ間、横方向に隣接する足場支持台２、２の横フレーム１３ａ、１３ｃ〜１３ａ、１３ｃ間にそれぞれ梁材４１を架設するとともに、縦方向の２本の梁材４１、４１の中央部間に横方向から梁材４１を架設したが、障害物５７の大きさ、形状によっては、上記のような構成の足場１を、当該足場１の上側、下側、左側、又は右側に更に形成してもよい。
【００８５】
本実施の形態の梁材４１及び足場材４８が「仮設機材認定基準とその解説（社団法人  仮設工業会）」に示される認定基準を満足するか否かを確認するために、梁材４１の試験体（試験体１〜３）、及び足場材４８の試験体（試験体１〜４）に対してそれぞれ曲げ試験を行った。
【００８６】
梁材４１の試験体１〜３には、長さ７５０ｍｍのＣＦＲＰ製の２本の角パイプ（第２梁本体４３に相当）を鋼製のジョイント材４４で連結して全長１５００ｍｍに形成したものを使用した。足場材４８の試験体１〜４には、長さ１５００ｍｍのアルミ製のハニカム構造のハニカム板材を使用した。梁材４１は支点間距離を１２００ｍｍとし、足場材４８は支点間距離を１３００ｍｍとし、それぞれ中央部に荷重をかけた。
【００８７】
梁材４１の試験結果を図１４、１５に示し、足場材４８の試験結果を図１６、１７に示す。図１４は梁材４１の試験体１〜３の荷重と変位との関係であり、図１５は仮設工業会の準用規定値（２．２ｋＮ時の規定変位、最大耐力）、及び梁材４１の試験体１〜３の実験値であり、図１６は足場材４８の試験体１〜４の荷重と変位との関係であり、図１７は仮設工業会の準用規定値（２．２ｋＮ時の規定変位、最大耐力）、及び足場材４８の試験体１〜４の実験値である。
【００８８】
これらの試験の結果から、本実施の形態の足場１に使用した梁材４１及び足場材４８は、初期剛性及び最大耐力にばらつきがほとんどなく、仮設工業会の準用値を満足していることが分かった。
【符号の説明】
【００８９】
１  足場
２  足場支持台
３  支持台本体
４  空間
５  底板
６  梁材支持部
７  固定フレーム
８  縦フレーム
９ａ〜９ｄ  下横フレーム
１０ａ〜１０ｄ  上横フレーム
１１  可動フレーム
１２  縦フレーム
１３ａ〜１３ｄ  横フレーム
１４  連結手段
１５  ヒンジ
１６  ボルト・ナット
１７  クランプ部材
１８  固定板
１９  支持板
２０  蝶ボルト
２１  押板
２２  ロックナット
２３  ロック機構
２４  第１ロック孔
２５  第２ロック孔
２６  第３ロック孔
２７  第１ロックピン
２８  第２ロックピン
２９  第３ロックピン
３０  レバー
３１  ロックピンガイド
３２  下板
３３  固定溝
３４  側板
３４ａ  ピン挿通孔
３５  側板
３５ａ  ピン挿通孔
３６  ストッパー部
３７  圧縮ばね
３８  固定ピン
３９  ワッシャ
４０  車輪
４１  梁材
４２  第１梁本体
４２ａ  ピン挿通孔
４３  第２梁本体
４３ａ  ピン挿通孔
４４  ジョイント材
４４ａ  ピン挿通孔
４５  ストッパー部
４６  連結ピン
４７  ナット
４８  足場板
４９  表面材
４９ａ  突起
５０  裏面材
５０ａ  テープ
５１  ハニカムコア
５２  作業床
５５  天井部
５６  床
５７  障害物
【図１】
2014084579.tif 000003
【図２】
2014084579.tif 000004
【図３】
2014084579.tif 000005
【図４】
2014084579.tif 000006
【図５】
2014084579.tif 000007
【図６】
2014084579.tif 000008
【図９】
2014084579.tif 000009
【図１０】
2014084579.tif 000010
【図１１】
2014084579.tif 000011
【図１４】
2014084579.tif 000012
【図１５】
2014084579.tif 000013
【図１７】
2014084579.tif 000014
【図７】
2014084579.tif 000015
【図８】
2014084579.tif 000016
【図１２】
2014084579.tif 000017
【図１３】
2014084579.tif 000018
【図１６】
2014084579.tif 000019